(57)【要約】      （修正有）【課題】占有面積を縮減し、人目に付きにくく水槽の景観を向上する水族館用紫外線藻類除去・滅菌装置を提供する。【解決手段】ボックス１及び紫外線を発射するＬＥＤ発光体３を備える。ボックスの内部を分画してライトルーム５及び浄水室４を形成し、ボックスには浄水室に対応する給水口１２及び排水口１３を設けている。水槽の水は給水口から浄水室に流入した後に排水口から流出する。ライトルームと浄水室との間には光線を透過させるための光透過部を設けている。ＬＥＤ発光体はライトルームに設置し、発射した紫外線は光透過部を経て浄水室に入射し、水中の藻類及び細菌を消滅させる。【選択図】図３
0003231069.tif 000002
【実用新案登録請求の範囲】
【請求項１】
内部を分画してライトルーム及び浄水室を形成し、前記浄水室に対応する給水口及び排水口を設け、水流が前記給水口から前記浄水室に流入した後に前記排水口から流出し、前記ライトルームと前記浄水室との間には光線を透過させるための光透過部を設けているボックスと、
前記ライトルームに設置され、前記光透過部を経て前記浄水室に入射する紫外線Ｃを発射するためのLED発光体と、を備えていることを特徴とする水族館用紫外線藻類除去・滅菌装置。
【請求項２】
前記光透過部はガラスシートであり、前記ボックスの内部には仕切り板を設け、前記浄水室は前記仕切り板の一側に位置し、前記仕切り板には貫通孔を設け、前記貫通孔中の空間には前記ライトルームを形成し、前記貫通孔は前記浄水室に連接する第一端及び対応する第二端を有し、前記第一端は前記ガラスシートにより閉鎖され、前記LED発光体は前記第二端に設置されていることを特徴とする請求項１に記載の水族館用紫外線藻類除去・滅菌装置。
【請求項３】
前記貫通孔の第一端には径方向に沿って内部フランジを内に向けて延出し、前記ガラスシートは前記内部フランジに固定されるように当接していることを特徴とする請求項２に記載の水族館用紫外線藻類除去・滅菌装置。
【請求項４】
前記LED発光体が発射する紫外線Ｃの波長は260nm乃至275nmの間の範囲であることを特徴とする請求項１に記載の水族館用紫外線藻類除去・滅菌装置。
【請求項５】
前記給水口または前記排水口はウォーターポンプに連接し、前記ウォーターポンプは水流を駆動して前記給水口から前記浄水室に流入させた後に前記排水口から流出させることを特徴とする請求項１に記載の水族館用紫外線藻類除去・滅菌装置。
【考案の詳細な説明】
【技術分野】
【０００１】
本考案は、水族館に関し、より詳しくは、水槽に用いる殺菌浄水設備に関する。
【背景技術】
【０００２】
現代の生活では精神面の充実を求めるためや、風水を改善するために、室内に水槽を設置して水生生物を飼育し、装飾及び精神向上効果を実現している。
【考案の概要】
【考案が解決しようとする課題】
【０００３】
しかしながら、前述した従来の水槽の水は長く放置すると藻類や細菌等が繁殖して水質に影響するため、定期的に清掃して水生生物の健康を保つ必要があった。従来の清掃方式として、水槽中に紫外線殺菌ライトを掛着し、紫外線を発射することで殺菌し、水質を維持するものがある。従来の紫外線殺菌ライトは細長い蛍光管を有し、その体積は水槽にとって大きすぎ、水槽を観賞する際に殺菌ライトを見えないようにすることが難しく、水槽内の景観を損ねた。
【０００４】
そこで、本考案者は上記の欠点が改善可能と考え、鋭意検討を重ねた結果、合理的設計で上記の課題を効果的に改善する本考案の提案に至った。
【０００５】
本考案は、かかる事情に鑑みてなされたものであり、その目的とするところは、水族館用紫外線藻類除去・滅菌装置を提供することにある。換言すれば、適切な構造を配置することで占有する体積を縮減し、水槽中で人目に付きにくくし、水槽の景観を向上する効果を有する。
【課題を解決するための手段】
【０００６】
上記目的を達成するための主たる考案は、
内部を分画してライトルーム及び浄水室を形成し、前記浄水室に対応する給水口及び排水口を設け、水流が前記給水口から前記浄水室に流入した後に前記排水口から流出し、前記ライトルームと前記浄水室との間には光線を透過させるための光透過部を設けているボックスと、
前記ライトルームに設置され、前記光透過部を経て前記浄水室に入射する紫外線Ｃを発射するためのLED発光体と、を備えていることを特徴とする水族館用紫外線藻類除去・滅菌装置である。
【０００７】
好ましくは、前記光透過部はガラスシートである。前記ボックスの内部には仕切り板を内設し、前記浄水室は前記仕切り板の一側に位置し、前記仕切り板には貫通孔を設け、前記貫通孔中の空間には前記ライトルームを形成している。前記貫通孔は前記浄水室に連接する第一端及び対応する第二端を有し、前記第一端は前記ガラスシートにより閉鎖され、前記LED発光体は前記第二端に設置されている。
【０００８】
好ましくは、前記貫通孔の第一端には径方向に沿って内部フランジを内に向けて延出し、前記ガラスシートは前記内部フランジに固定するように当接している。
【０００９】
好ましくは、前記LED発光体が発射する紫外線Ｃの波長は260nm乃至275nmの間の範囲である。
【００１０】
好ましくは、前記給水口または前記排水口はウォーターポンプに連接し、前記ウォーターポンプは水流を駆動して前記給水口から前記浄水室に流入させた後に前記排水口から流出させる。
【図面の簡単な説明】
【００１１】
【図１】本考案の一実施形態に係る水族館用紫外線藻類除去・滅菌装置を模式的に示した傾斜図である。
【図２】本考案の一実施形態に係る水族館用紫外線藻類除去・滅菌装置を示す分解図である。
【図３】本考案の一実施形態に係る水族館用紫外線藻類除去・滅菌装置を模式的に示した断面図である。
【考案を実施するための形態】
【００１２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１３】
本明細書及び図面の記載により、少なくとも、以下の事項が明らかとなる。
【００１４】
本考案提供の水族館用紫外線藻類除去・滅菌装置は、ボックス１と、ウォーターポンプ２と、紫外線Ｃ（Ultraviolet C、UVCと略称される）を発射するためのLED発光体３と、を備えている（図１乃至図３参照）。
【００１５】
前記ボックス１には仕切り板１１を内設し、且つ上下に２つの空間を分画している。下方に位置する空間は浄水室４と定義している。前記ボックス１は前記浄水室４に対応する給水口１２及び排水口１３を設け、前記給水口１２は水槽の水を前記浄水室４に導入し、前記排水口１３は前記浄水室４の水を排出するように導水する。前記ウォーターポンプ２は前記排水口１３に連接し、前記ウォーターポンプ２を起動すると、水槽の水を駆動して前記給水口１２から前記浄水室４に流入させた後に前記排水口１３から流出させる。他の実施方式では、前記ウォーターポンプ２は前記給水口１２に連接し、同様に可水槽の水を駆動して前記給水口１２から前記浄水室４に流入させた後に前記排水口１３から流出させる効果を達成している。
【００１６】
前記仕切り板１１には前記浄水室４まで貫通する貫通孔１４を設け、前記貫通孔１４中の空間はライトルーム５と定義している。前記貫通孔１４は前記浄水室４に連接している第一端１４１及び前記第一端１４１に対応する第二端１４２を有し、前記第一端１４１の箇所には径方向に沿って内部フランジ１４３が内に向けて延出し、且つ光線を透過させるためのガラスシート１５が前記内部フランジ１４３に固定するように当接し、これにより前記第一端１４１を閉鎖している。前記LED発光体３は前記第二端１４２の箇所に設置し、前記LED発光体３は基板３１、及び基板３１に設置している発光ユニット３２を備えている。前記基板３１は複数のネジ３３により前記仕切り板１１にロックし、前記発光ユニット３２は前記ライトルーム５中に挿設している。前記ボックス１の上端にはワイヤーホール１６を設け、前記基板３１に接続して前記発光ユニット３２に電源を供給するコード３４が前記ボックス１から突出している。
【００１７】
上述の前記発光ユニット３２は波長260nm乃至275nmの間の範囲の紫外光線を発射し、紫外線Ｃ（UVC）とも呼ばれる。前記紫外光線は前記ガラスシート１５を透過して前記浄水室４に入射し、前記紫外光線のエネルギーにより前記浄水室４の水中の藻類及び細菌を消滅させる。
【００１８】
本考案は紫外線Ｃを発射するLED発光体３の体積が小さいという特徴を利用し、前記LED発光体３に適合する小型ボックス１と組み合わせることにより、構造全体の体積を従来の構造よりも大幅に縮減し、紫外線により藻類除去及び殺菌する固有の機能を達成するのみならず、水槽中で人目に付きにくくし、使用者が本考案の存在を感じ取りにくくすることで水槽の景観を向上させている。
【００１９】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００２０】
１  ボックス
１１  仕切り板
１２  給水口
１３  排水口
１４  貫通孔
１４１  第一端
１４２  第二端
１４３  内部フランジ
１５  ガラスシート
１６  ワイヤーホール
２  ウォーターポンプ
３  LED発光体
３１  基板
３２  発光ユニット
３３  ネジ
３４  コード
４  浄水室
５  ライトルーム
【図１】
0003231069.tif 000003
【図２】
0003231069.tif 000004
【図３】
0003231069.tif 000005